(57)【要約】【課題】例えばＹシャツの胸ポケットやＧパンの臀部ポケットなどに収容できる薄さと強度を持ち、そういったところやハンドバックなどに収容しても違和感をおこさせない軽さで、しかも高倍率のズームを精度良く達成できる機構を備えた電子カメラを提供することが課題である。【解決手段】操作部に配した表示装置とメモリと電池と制御基板とによる厚みにレンズ外径を規定し、レンズ枠を筐体支持面として前記レンズ枠にガイド軸を貫通させ、前後に動かせるようにすると共に、前記ズームレンズのレンズ移動用カムをレンズ系の横に配置して薄型化を計った【選択図】    図１
2004343672.tif 000002
【特許請求の範囲】
【請求項１】
表示装置を有した操作部と、該操作部にヒンジ機構によって回転可能に接続し、発光装置と撮影用ズームレンズを備えて前記表示装置に映像を送る撮像部とからなる電子カメラにおいて、
前記操作部に配した表示装置とメモリと電池と制御基板とによる厚みにレンズ外径を規定し、レンズ枠を筐体支持面として前記レンズ枠にガイド軸を貫通させ、前後に動かせるようにすると共に、前記ズームレンズのレンズ移動用カムをレンズ系の横に配置して薄型化を計ったことを特徴とする電子カメラ。
【請求項２】
前記撮像部は、撮影窓の操作部側に前記発光装置を配すると共に発光装置の収容部下部を前記撮影窓側より細く構成し、前記操作部における表示装置を撮像部側に配置すると共に表示装置の撮像部とは逆側に操作釦類を配したことを特徴とする請求項１に記載した電子カメラ。
【請求項３】
前記操作部における操作釦類を、筐体平面内に納めたことを特徴とする請求項１に記載した電子カメラ。
【請求項４】
前記撮像部の光学系中に設けたシャッターを、レンズ枠高さと同一高さの四角形状としたことを特徴とする請求項１に記載した電子カメラ。
【請求項５】
前記レンズ移動用カムは、螺旋状のカム溝を有してカム溝に挿入されたカムピンをカム駆動し、そのカム駆動力によって前記レンズを移動させるよう構成され、前記カム溝の一側カム面を形成した一方のカム体と、このカム体に対して非回転として摺動自在に備え、前記一側カム面に対向させる他側カム面を形成した他方のカム体と、一方のカム体又は／及び他方のカム体を押圧してカムピンをカム面に当接させる弾性部材とから構成されていることを特徴とする請求項１に記載した電子カメラ。
【請求項６】
前記レンズ移動用カムは、円柱体の両側部各々に細径状とした摺動部を設け、一方側の摺動部と円柱体胴部との間の段部を第１カム溝の一側カム面とし、他方側の摺動部と円柱胴部との間の段部を第２カム溝の一側カム面として形成したカム基体と、第１カム溝の一側カム面に対向させる他側カム面を形成し、一方の摺動部に非回転として摺動自在に備えた第１のカム枠と、第２カム溝の一側カム面に対向させる他側カム面を形成し、他方の摺動部に非回転として摺動自在に備えた第２のカム枠と、これら第１、第２のカム枠を押圧し、第１、第２のカム枠とカム基体とで形成した２条のカム溝に挿入させた各カムピンをカム面に当接させる弾性部材とから構成されていることを特徴とする請求項１に記載した電子カメラ。
【請求項７】
前記レンズ移動用カムは、第１カム溝の一側カム面を有して細径状とした摺動部を配した第１の円柱体と、該第１の円柱体に対して非回転とし、第２カム溝の一側カム面を有して細径状とした摺動部を配した第２の円柱体と、第１カム溝の一側カム面に対向させる他側カム面を形成し、第１の円柱体の摺動部に非回転として摺動自在に備えた第１のカム枠と、第２カム溝の一側カム面に対向させる他側カム面を形成し、第２の円柱体の摺動部に非回転として摺動自在に備えた第２のカム枠と、これら第１、第２のカム枠を押圧し、第１、第２のカム枠とカム基体とで形成した２条のカム溝に挿入させた各カムピンをカム面に当接させる弾性部材とから構成されていることを特徴とする請求項１に記載した電子カメラ。
【請求項８】
前記弾性部材が、一端部を第１のカム枠に、他端部を第２のカム枠に各々係止した引張りコイルバネであることを特徴とする請求項５乃至７のいずれかに記載した電子カメラ。
【請求項９】
前記一側カム面及び他側カム面の少なくとも一方のカム面に傾斜部を設けたことを特徴とする請求項５乃至７のいずれかに記載した電子カメラ。
【請求項１０】
前記一側カム面及び他側カム面の少なくとも一方のカム面に設けた傾斜部は、カム溝挿入部材に対してカム溝の回転軸線方向のカム駆動力とその回転軸線方向に直交する方向の押動力とを与える傾斜面を有することを特徴とする請求項９に記載した電子カメラ。
【請求項１１】
前記弾性部材が、前記第１、第２のカム枠とカム基体または第１の円柱体と第２の円柱体とを一方向に押圧するばね部材であることを特徴とする請求項５乃至７のいずれかに記載した電子カメラ。
【請求項１２】
前記弾性部材が、一端部を第１のカム枠に、他端部を第２のカム枠に各々係止させた引張りばね部材と、第１、第２のカム枠とカム基体とを一方向に押圧するばね部材を設けたことを特徴とする請求項５乃至７のいずれかに記載した電子カメラ。
【発明の詳細な説明】
【０００１】
【発明の属する技術分野】
本発明は、電子カメラに関し、特に薄型、軽量で、高倍率光学ズーム搭載を可能に構成した電子カメラに関するものである。
【０００２】
【従来の技術】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感をおこさせない軽さで、しかも高倍率のズーム機構を備えた電子カメラの出現が望まれている。
【０００４】
しかしながら旧来のフィルムを使用したカメラのように、カメラ本体から撮影レンズを突出させるようにした方式では、例え撮影時以外はレンズを本体内に収納する沈胴式にしたとしても、ズーミング機構やレンズの厚さのために一定以下の厚さにするのは困難である。
【０００５】
すなわちズームレンズは、同一光軸上に配置された複数のレンズ群のうち、１つ以上のレンズ群を光軸方向に移動してレンズ全体の焦点距離を変化させる構成がとられているが、ズーミング時にレンズ群の移動を制御するための手法としては、移動させるレンズ群が係合されるカム板を設け、このカム板を手操作、あるいはモータ等により移動または回転させることでレンズ群をカム形状に従って移動させ、２つ以上のレンズ群に相関をもたせながら移動できるようにしたものが一般的である。
【０００６】
そしてこの種のカム機構として従来では、レンズ鏡筒の外周にこれと同軸に筒状カム（以下、カム環と称する）を配設し、このカム環にレンズ群をカム係合させ、カム環を軸回りに回転させることでレンズ群を移動させるようにしたものがある。またカム機構によるズーミング手法に対し、レンズ鏡筒の光軸に沿ってリードスクリューを配設するとともに、このリードスクリューに移動するレンズ群を螺合させ、モータ等によりリードスクリューを軸転することで螺合されているレンズ群を光軸方向に移動させるようにしたものもある。
【０００７】
従って前記したように、カメラ本体の前面にレンズを配置し、レンズ鏡筒の外周にカム環を配設した場合、電源オフによって全てのレンズを本体側に沈めてカメラ前面に凸部をなくすようにしても、このカム環の高さ以下、または複数あるレンズ群における各レンズの厚さを加えた光軸方向の総厚さ以下にカメラ本体を薄くすることはできない。さらに、ズームレンズは前記したように複数群のレンズを用いているから、倍率が高くなるほど必要とするレンズ枚数が増え、それらのレンズの厚みを加算すると、光軸方向のカメラ本体の厚さはかなり厚くなり、薄型化は困難となる。
【０００８】
また、前記の如くレンズ鏡筒の外周にカム環を配設した場合、レンズの径方向の寸法が大きくなり、装置全体の大型化にもつながって薄型カメラを設計する際の障害となる問題がある。
しかしながら、カメラの高倍率化に伴ってカメラが厚くなるのを抑制したカメラが出現している。
例えば、撮影しない時に複数のレンズ群を本体に収納する沈胴式のカメラにおいて、カメラ本体の主電源をオフにして突出したレンズ群を収納する際に、光軸の範囲内を移動する複数のレンズ群のうち、中間付近のレンズ群Ａを光軸の範囲外に移動してカメラ本体内に収納し、中間付近より被写体側のレンズ群Ｂを光軸の範囲内でカメラ本体内に収納した構成である。
従って、中間付近のレンズ群Ａを光軸の範囲外に移動することで、光軸方向のカメラの厚さを薄型化できる。
【０００９】
しかしながら、上記中間付近のレンズ群Ａを光軸の範囲外に移動する構成のカメラは、レンズ群を光軸の範囲外に移動させるため、光学系の精度を確保する構成が複雑であると共に、レンズ群を光軸の範囲外に移動させるための部品点数が増加し、製造コストが上昇する問題がある。
また、中間レンズ群やレンズ鏡筒を電源オフによってカメラ本体に沈める方式においては、カメラの主電源をオンにした際にレンズ群を装置本体から突出させるために、撮影ができるようになるまで一定の時間を必要とし、シャッターチャンスを逃すという欠点がある。
【００１０】
また、沈胴式のカメラではなく、レンズ鏡筒の光軸に沿ってリードスクリューを配設するようにした構成では、前記したカム機構を用いる場合に比較して、カム環等の部品を減らすことによりレンズ鏡筒の近傍のスペースを低減して小型化することは可能である。
【００１１】
しかし、通常このタイプのカメラは、撮影画像を表示する表示部に平行して複数のレンズ群を配置し、このレンズ群の被写体側の１枚目のレンズ以降のレンズとレンズの間に、光軸の方向を９０度変換する反射板やプリズムを設け、前記表示装置の表示面に垂直な方向で被写体を撮影する構成であるので、部品点数を減らして小型化を達成する反面、反射板やプリズムを設けることによる新たな部品が必要となり、部品点数が増加し、かつ構造が複雑化され、カメラの高重量化、高価格化をまねくとともに、カム機構に比較して特にカメラの小型化、薄型化が顕著なものになることもない。
【００１２】
これらのカメラの薄型化及び高倍率化を行うことにより発生する課題を解決するために、例えば、特許文献１のような技術が提案されている。
この提示された技術によれば、撮像レンズと撮像素子とを内蔵した撮像部と、液晶等の表示部を備えたカメラ本体とを回転可能に構成し、撮影時には撮像部をカメラ本体に対して撮影したい方向へ回転し、非撮影時には、撮像部をカメラ本体に対して回転してカメラ本体内に収納する。
このように撮像部をカメラ本体に対して回転することで、撮像部をカメラ本体に対して表示部と平行方向に収納することができ、カメラ本体の表示部に対して垂直方向の厚みを薄くすることができる。
【００１３】
【特許文献１】
特許第２９３１９０７号公報（図１）
【００１４】
【発明が解決しようとする課題】
しかしながら、近年要求されているカメラの薄型化、高倍率化に対応するためには、更なる改良が必要である。
そのため本発明においては、例えばＹシャツの胸ポケットやＧパンの臀部ポケットなどに収容できる薄さと強度を持ち、そういったところやハンドバックなどに収容しても違和感をおこさせない軽さで、しかも高倍率のズームを精度良く達成できる機構を備えた電子カメラを提供することが課題である。
【００１５】
【課題を解決するための手段】
上記課題を解決するため本発明においては、
表示装置を有した操作部と、該操作部にヒンジ機構によって回転可能に接続し、発光装置と撮影用ズームレンズを備えて前記表示装置に映像を送る撮像部とからなる電子カメラにおいて、
前記操作部に配した表示装置とメモリと電池と制御基板とによる厚みにレンズ外径を規定し、レンズ枠を筐体支持面として前記レンズ枠にガイド軸を貫通させ、前後に動かせるようにすると共に、前記ズームレンズのレンズ移動用カムをレンズ系の横に配置して薄型化を計ったことを特徴とする。
【００１６】
このように、電子カメラに於ける画像の確認、記録をおこなうために必須となる表示装置、メモリ、電池、制御基板それぞれの厚みを加えた厚みにレンズ外径を規制し、さらにそのレンズの枠を筐体支持面とすると共にそのレンズ枠にガイド軸を貫通させて前後に動かせるようにし、ズームレンズのレンズ移動用カムをレンズ系横に配置することで薄型化を計ったから、これら構成部品は前記した液晶とメモリと電池と制御基板とによる厚み以上にはならず、Ｙシャツの胸ポケットやＧパンの臀部ポケットなどに収容できる薄さを有した電子カメラを提供することができる。
【００１７】
そして前記撮像部における撮影窓の操作部側に前記発光装置を配すると共に発光装置の収容部下部を前記撮影窓側より細く構成し、前記操作部は、操作部における表示装置を撮像部側に配置すると共に表示装置の撮像部とは逆側に操作釦類を配したことにより、操作部を右手に保持したとき、親指で操作できる範囲に操作釦類を配置できるから、使い勝手の良い電子カメラを提供することができる。
【００１８】
また前記操作部における操作釦類を、筐体平面内に納めたことにより、前記したようにＹシャツの胸ポケットやＧパンの臀部ポケットなどに収容しても、スムーズに出し入れができる電子カメラを提供することができる。
【００１９】
また、光学系の薄型を達成するため、前記撮像部の光学系中に設けたシャッターを、レンズ枠高さと同一高さの四角形状とすることが好ましい。
【００２０】
そして前記レンズ移動用カムは、螺旋状のカム溝を有してカム溝に挿入されたカムピンをカム駆動し、そのカム駆動力によって前記レンズを移動させるよう構成され、前記カム溝の一側カム面を形成した一方のカム体と、このカム体に対して非回転として摺動自在に備え、前記一側カム面に対向させる他側カム面を形成した他方のカム体と、一方のカム体又は／及び他方のカム体を押圧してカムピンをカム面に当接させる弾性部材とから構成したことにより、一方のカム体のカム面と他方のカム体のカム面とでカム溝が形成され、また、このカム溝に挿入したカムピンがこれらカム体を押圧するばね部材によってカム面に当接するので、カムピンがカム溝の全域で一定の圧接力でカム面に当接するカム装置を有した電子カメラを構成できる。
【００２１】
また、前記レンズ移動用カムは、円柱体の両側部各々に細径状とした摺動部を設け、一方側の摺動部と円柱体胴部との間の段部を第１カム溝の一側カム面とし、他方側の摺動部と円柱胴部との間の段部を第２カム溝の一側カム面として形成したカム基体と、第１カム溝の一側カム面に対向させる他側カム面を形成し、一方の摺動部に非回転として摺動自在に備えた第１のカム枠と、第２カム溝の一側カム面に対向させる他側カム面を形成し、他方の摺動部に非回転として摺動自在に備えた第２のカム枠と、これら第１、第２のカム枠を押圧し、第１、第２のカム枠とカム基体とで形成した２条のカム溝に挿入させた各カムピンをカム面に当接させる弾性部材とから構成することにより、一方のカム体の一側カム面と他方のカム体の他側カム面とによりカム溝が形成され、また、このカム溝に挿入したカム溝挿入部材が一方のカム体又は／及び他方のカム体を押圧するばね部材のばね勢力作用によってカム面に圧接する。
【００２２】
また、前記レンズ移動用カムは、第１カム溝の一側カム面を有して細径状とした摺動部を配した第１の円柱体と、該第１の円柱体に対して非回転とし、第２カム溝の一側カム面を有して細径状とした摺動部を配した第２の円柱体と、第１カム溝の一側カム面に対向させる他側カム面を形成し、第１の円柱体の摺動部に非回転として摺動自在に備えた第１のカム枠と、第２カム溝の一側カム面に対向させる他側カム面を形成し、第２の円柱体の摺動部に非回転として摺動自在に備えた第２のカム枠と、これら第１、第２のカム枠を押圧し、第１、第２のカム枠とカム基体とで形成した２条のカム溝に挿入させた各カムピンをカム面に当接させる弾性部材とから構成することにより、一方のカム体の一側カム面と他方のカム体の他側カム面とによりカム溝が形成され、また、このカム溝に挿入したカム溝挿入部材が一方のカム体又は／及び他方のカム体を押圧するばね部材のばね勢力作用によってカム面に圧接する。
【００２３】
したがって、カム面に対するカム溝挿入部材の圧接力がカム体を押圧するばね部材のばね勢力によって決まるから、カム溝の全領域で一定の圧接力となり、その結果、カム軸がずれないので、被移動物の正規移動位置にバラツキが生ぜず、また、カム溝挿入部材が当接するカム面に傾斜部を設けてあるので、カム溝挿入部材がカム溝の回転軸線方向のカム駆動力を受ける他に、この回転軸線方向に対して直交する方向の押動力を受け、具体的には、カム溝挿入部材がカム溝の回転によって上記した押動力を受けることから、被移動物がガイド軸に対接し、被移動物とガイド軸との間の機械的遊びが吸収されるカム装置を有した電子カメラを提供することができる。
【００２４】
そして前記弾性部材が、一端部を第１のカム枠に、他端部を第２のカム枠に各々係止した引張りコイルバネとすることにより、一つのコイルばねによって第１、第２のカム枠を押圧することができる。
【００２５】
また前記一側カム面及び他側カム面の少なくとも一方のカム面に傾斜部を設けたことにより、カム溝挿入部材がカム溝の回転軸線方向のカム駆動力を受ける他に、この回転軸線方向に対して直交する方向の押動力を受け、具体的には、カム溝挿入部材がカム溝の回転によって上記した押動力を受けることから、被移動物がガイド軸に対接し、被移動物とガイド軸との間の機械的遊びが吸収される。
【００２６】
そして前記一側カム面及び他側カム面の少なくとも一方のカム面に設けた傾斜部は、カム溝挿入部材に対してカム溝の回転軸線方向のカム駆動力とその回転軸線方向に直交する方向の押動力とを与える傾斜面を有することが好ましい。
【００２７】
また前記弾性部材が、前記第１、第２のカム枠とカム基体または第１の円柱体と第２の円柱体とを一方向に押圧するばね部材とすることにより、一つのばね部材によって第１、第２のカム枠を押圧することができる。
【００２８】
そして前記弾性部材が、一端部を第１のカム枠に、他端部を第２のカム枠に各々係止させた引張りばね部材と、第１、第２のカム枠とカム基体とを一方向に押圧するばね部材を設けたことにより、カム基体と第１、第２のカム枠全体をばね部材によって押圧することにより、カムピンをカム面に圧接させ、また、カム装置の全体が一方向に押動されるので、カム装置の回転軸部の機械的なガタが吸収される。
【００２９】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００３０】
図１は本発明になる電子カメラの一実施形態の全体図、図２は本発明になる電子カメラのレンズを被写体方向に向けた撮影状態を示した図、図３は本発明になる電子カメラのレンズをカメラ操作者（自分）方向に向けた撮影状態を示した図、図４は本発明になる電子カメラのレンズを被写体方向に向けた撮影するときのカメラのホールド状態を示した図である。
【００３１】
図中１００は本発明になる電子カメラ、１０１は撮像部、１０２は操作部、１０３は撮影レンズ窓、１０４はストロボなどの発光装置窓、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００３２】
本発明になる電子カメラ１００は、図１乃至３に示したように、操作部１０２側に表示装置１０５と一般的な撮影用操作釦類１０６乃至１１３を配し、この操作部１０２にヒンジ機構で回転可能に接続された撮像部１０１の一端側には、撮影レンズ窓１０３、その操作部１０２側に発光装置用の窓１０４を配してある。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
また特に、撮影中に表示装置１０５に指がかからないように、主に撮影に用いる釦１０６、１０９等は、表示装置より離して配置している。
【００３３】
そして本発明になる電子カメラ１００は、表示装置１０５を常時視認できるよう撮影者の方に向けたまま、図２に示したように撮像部１０１を被写体の方に向けたり、図３に示したように逆に回転させて撮影レンズ窓１０３がカメラ操作者（自分）の方を向くようにし、自分撮りもできるようになっている。また本発明になる電子カメラ１００は、撮像部１０１の撮影レンズ窓１０３側の端から発光装置用の窓１０４側の端までの長さＬ１（図３）を、例えば左手人差し指の先端から第２関節近辺までの長さとし、かつ、撮像部１０１における撮影レンズ窓１０３とは逆側の長さをＬ２（図３）としたとき、発光装置窓１０４部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。また撮影レンズ窓１０３からヒンジ機構の回転中心までの距離は、ヒンジ機構の回転中心から撮影レンズ窓１０３とは逆側の端までの距離より大きくとってある。
【００３４】
これに伴い、撮影レンズ窓１０３をユーザ自身に向けて撮影をおこなった場合、表示装置１０５の表示画面から撮影レンズ窓１０３までの距離が長くなる。
従って、ユーザが表示装置１０５をユーザの視認方向に対して傾けて視認し、表示画面を撮影レンズ窓１０３と表示画面との間の隙間から見た場合、表示画面から撮影レンズ窓１０３までの距離が長いので、前記隙間も長くなり、表示画面全体を良好に視認できる。
【００３５】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定する。
【００３６】
そして、図２に示したように被写体の方に撮影レンズ窓１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓１０３を被写体に向ける。そして、表示装置１０５に映し出された被写体を見ながら右手親指で撮像部１０１のズームキー１０９を操作し、所定の倍率を選択して構図を決定した後、右手人差し指でシャッター釦１０６を押下することで自動的にピントと露出が決定され、内蔵されたＣＣＤなどの撮像素子によって撮影された画像が内蔵されたメモリに記録するようになっている。このようにして撮影をおこなうことにより、前記したように撮像部１０１における撮影レンズ窓１０３からヒンジ機構の回転中心までの距離は、ヒンジ機構の回転中心から撮影レンズ窓１０３とは逆側の端までの距離より大きくとってあるから、レンズ部が大きく回り、撮像部１０１を素早く被写体に向けられると共に、カメラ１００をしっかりホールドすることができる。
【００３７】
こうして撮影が済んだら、モードセレクト釦１１３を操作して再生モードにすると、メモリに蓄えられた画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００３８】
次に操作部１０２の構成について説明する。図５は本発明になる電子カメラ１００の操作部１０２のカバーを取り除いて内部のデバイスの収容状態と、撮像部１０１における発光装置とコンデンサ、ＣＣＤなどの撮像デバイスなどを示した斜視図、図６は本発明になる電子カメラ１００の一実施形態における操作部１０２のカバーを取り除き、（Ａ）はさらに表示装置１０５を取り除いた斜視図、（Ｂ）は裏面から見た斜視図、図７は本発明になる電子カメラ１００の一実施形態における操作部１０２のカバーを取り除き、（Ａ）は図５における手前側から見た図、（Ｂ）は同じく図５における左サイドから見た図で、（Ｃ）はカバーを被せた状態でメイン基板３００の略中央に設けた孔３１１近辺を図７（Ｂ）と同じく図５における左サイドから見た断面図である。
【００３９】
図中３００は電子カメラ１００における全体を制御するメイン基板、３０１は画像を記憶するメモリカードなどを収容するメモリスロット、３０２はバッテリー、３０３は撮像部１０１を制御するサブ基板、３０４はモード制御用フレキシブル基板、３０６はマイク、３０７は上カバー、３０８は下カバー、３０９、３１０は上カバー３０７と下カバー３０８に設けられたメイン基板３００を略中央で支えるための支柱、３２０は撮像部１０１側のＣＣＤなどの撮像素子、３２１は撮像部１０１側のストロボなどの発光装置、３２２は撮像部１０１側のストロボなどの発光装置用コンデンサ、３２３は撮像部１０１側のストロボなどの発光装置用プリント基板である。
【００４０】
本発明になる電子カメラ１００の操作部１０２は、図７（Ｃ）の断面図に示した上側カバー３０７に、前記図１に示したスピーカ１１４やシャッター釦１０６、電源釦１０７、選択決定キー１０８、ズームキー１０９、メニュー釦１１０、ディスプレイ釦１１１、シーン釦１１２、モードセレクト釦１１３などの操作釦類を取り付けると共に、図５に示した液晶などの表示装置１０５の露出窓を設け、この表示装置１０５周囲にモード制御用のフレキシブル基板３０４が配されている。そして、この表示装置１０５とモード制御用のフレキシブル基板３０４の下に、図６（Ａ）に示したように上側に画像を記憶するメモリカードなどを収容するメモリスロット３０１を、下側に図６（Ｂ）のように薄型のバッテリー３０２を配したメイン基板３００を配して図７（Ｂ）のように積み重ね、さらにメイン基板３００の下のバッテリー３０２の横に、図６、図７（Ａ）に示したように撮像部１０１を制御するサブ基板３０３を配してある。
【００４１】
そしてこのうちメイン基板３００は、下側カバー３０８のコーナーなどに設けられた位置決め部で位置決めし、図７（Ｃ）に示したように、上側カバー３０７に設けられた支柱３０９（図７（Ｃ））と、下側カバー３０８に設けられた支柱３１０（図７（Ｃ））をメイン基板３００の略中央近辺に設けた孔３１１に通して挟んで支持し、筐体の撓みに対して遊動自在に支持できるようにしてある。すなわちメイン基板３００には、電子カメラ１００全体を制御するＣＰＵなどが実装されているが、本発明のように電子カメラ１００全体を薄型に構成し、かつ、前記したようにＹシャツの胸ポケットやＧパンの臀部ポケットなどに収容した場合、これら上カバー３０７と下カバー３０８で構成された筐体に大きな撓み力が加わる。そのためＣＰＵなどを実装したメイン基板３００を筐体にネジなどで固定すると、撓み力が加わった際、メイン基板３００が撓み、最悪の場合、ハンダ付け実装したＣＰＵなどが剥がれてしまうという事故が生じる。そのため本発明においては、このようにメイン基板３００をコーナーで位置決めだけして略中央部分を支柱３０９、３１０で挟むことにより、筐体が撓んでも、その力を逃がすことができるようにしたものである。
【００４２】
次に撮像部１０１の構成について説明する。図８は本発明になる電子カメラの一実施形態における撮像部の上側カバーを取り除いた斜視図、図９は本発明になる電子カメラの一実施形態における撮像部の分解図である。図中４００はズーム駆動機構を含んだレンズユニット、４０１は撮像部の下カバー、４０２は同じく上カバー、４０３はレンズユニット４００を組み立てる際に光学系内にゴミ等が入らないようにカバーするためのカバープレート、４０４は撮影レンズ窓１０３に填め込むレンズウインド、４０５は撮像部１０１を操作部１０２に対して回転できるようにするヒンジ機構、４０６は後述するズームカムをコイルバネ４０７の押圧力で押圧するプッシュピン、４０８は撮像素子ユニットである。
【００４３】
本発明になる電子カメラ１００の撮像部１０１は、前記図３で説明したように、撮像部１０１の撮影レンズ窓１０３側の端から発光装置用の窓１０４側の端までの長さＬ１を、例えば左手人差し指の先端から第２関節近辺までの長さとし、かつ、撮像部１０１における撮影レンズ窓１０３とは逆側の長さをＬ２としたとき、発光装置窓１０４部分の（Ｌ１−Ｌ２）に相当する部位の光軸方向厚さＬ３を、略人差し指の厚さとしてＲを付けて操作部１０２側に張り出して構成してある。
【００４４】
そして本発明になる電子カメラ１００の撮像部１０１は、レンズユニット４００におけるズームレンズを構成するレンズ群のレンズ枠の高さを、前記図５乃至７に示した操作部１０２に収容した表示装置１０５、画像を記憶するメモリカードなどを収容するメモリスロット３０１、メイン基板３００、バッテリー３０２のそれぞれの厚みを加算した値と略等しくなるよう規制すると共に、一般的に外形が円形に構成されているシャッターをレンズ枠と同じ高さの四角形状とし、これらレンズ枠やシャッターの外径を、上下カバー４０１、４０２で構成される筐体の支持面としてある。またズームレンズの光軸方向の全長を、前記図６（Ｂ）に３０２として示したバッテリーの高さｈによって規制すると共に、ズームレンズの駆動機構と撮像部１０１における発光装置３２１の制御基板３２３などを光学系の側部空間に配置し、光学系の撮影レンズ窓１０３とは逆側の奥部空間に、発光装置用コンデンサ３２２などの電装部品を配してある。
【００４５】
このようにズームレンズの光軸方向の全長を、前記図６（Ｂ）に３０２として示したバッテリーの高さｈによって規制し、かつ、ズームレンズの駆動機構を光学系の横に配することで、電子カメラ１００の電源をオフしたときもオンしたときも光学系の全長には変化が無く、従来のカメラのように、レンズを沈胴式にしたことによって電源のオン、オフの度にレンズの繰り出しや収納の動作をおこなう必要が無いから、制御系が稼動すればすぐ撮影動作に入ることができ、シャッターチャンスを逃すといったことが無くなる。また、さらに高倍率化を実施する場合、レンズ群が増えたりするが、光学系の撮影レンズ窓１０３とは逆側に、発光装置用コンデンサ３２２などの電装部品を配するスペースがあるから、その部分を利用してレンズ群を増やしたりすることも可能である。
【００４６】
次に、図１０乃至図１６を用いて本発明になる電子カメラ１００の一実施形態における撮像部１０１のズーム駆動機構を含んだレンズユニット４００について説明する。図１０はこのレンズユニット４００における光学系を分解して示した図、図１１は本発明になる電子カメラの一実施形態における撮像部の撮像素子ユニットの構成を示した図、図１２は本発明になる電子カメラの一実施形態における撮像部の撮像素子を取り付ける後固定枠の構成を示した図、図１３はズーム機構におけるズーム用カムの斜視図、図１４は本発明になる電子カメラの一実施形態における撮像部のズーム用カム駆動機構の説明図、図１５は本発明になる電子カメラの一実施形態における撮像部のズーム用カム駆動機構の断面図、図１６はフォーカス機構の説明図である。
【００４７】
図中２１は第１レンズ群、２１ａは第１レンズ群２１のレンズ枠、２１ｂはレンズ枠２１ａに設けたボス（軸受け部）、２１ｃはボス２１ｂに設けたカムピン、２２は第２レンズ群、２２ａは第２レンズ群２２のレンズ枠、２２ｂはレンズ枠２２ａに設けたボス（軸受け部）、２２ｃはボス２２ｂに設けたカムピン、２３、２４は一端側が前固定枠２７に、他端側が後固定枠２８に固着されているガイド軸、２５はズーム用カム（図１３）、２６はズーム用モータ、２７は前固定枠、２７ａは軸受部（図１４）、２７ｂは被写体像光を通過させる窓孔、２８は後固定枠、２８ａは被写体像光を通過させる窓孔で、後固定枠２８の窓孔直後には、図９に示したＣＣＤなどで構成した撮像素子ユニット４０８が組込んである。２９は支持固定枠（図１４）、２９ａは支持固定枠２９に設けられた軸受部（図１５）、３１は後固定枠２８に設けられたフォーカス用モータ３３（図１０）によって回転されるリードスクリュー３４でネジ送りされる第３レンズ群（図１６）、３１ａは第３レンズ群３１のレンズ枠、３１ｂはガイド軸２３を通す孔を有するレンズ枠３１ａに設けたボス、３２はフォーカス用モータ３３（図１０）で回転するリードスクリュー３４によってネジ送りされ、第３レンズ群３１を進退させるナットネジ、３５はシャッタユニット、３９は第３レンズ群３１のガタ防止用のスプリングである。なお、ズーム用モータ２６とフォーカス用モータ３３は、同一位置に積み重ねるように配置した場合、モータの励磁巻線によって生じる磁界がお互い影響しあい、誤動作を生じることがあるため、図１０から明らかなように、光学系における光軸方向両端に配してある。
【００４８】
図１３、図１４において、４０はズーム用カム２５の第１カム溝、４０ａは第１カム溝４０の一側カム面、４０ｂは他側カム面、４１はズーム用カム２５の第２カム溝、４１ａは一側カム面、４１ｂは他側カム面、５０はズームモータ２６の軸に設けられた歯車と噛み合い、ズーム歯車（２）５１へ駆動力を伝達するズーム歯車（１）、５２はズーム歯車（２）５１を有して駆動力をズーム歯車（３）５３からズームカム２５の歯車５５に駆動力を伝えるズームシャフト、５６はズームカム（１）、５７はズームカム（２）、５８はズームカム（３）、５９はズームカム（４）である。
【００４９】
本発明になる電子カメラ１００における撮像部１０１のズームレンズは、図１０に分解図を示したように、撮影レンズとして第１レンズ群２１と第２レンズ群２２、及び図１０における後固定枠２８の部分に設けられる図１６に示したフォーカス用の第３レンズ群３１とを備え、ズーミングとフォーカスを、これら第１〜第３レンズ群によって行なえるようにしてある。そして、これら第１〜第３レンズ群２１、２２、３１をスムーズに前後進できるよう、ガイド軸２３を第１レンズ群２１のレンズ枠２１ａに設けたボス（軸受け部）２１ｂと第２レンズ群２２のレンズ枠２２ａに設けたボス（軸受け部）２２ｂ、及び図１６に示したフォーカス用の第３レンズ群３１のレンズ枠３１ａに設けたボス３１ｂとに軸挿し、さらにガイド軸２４を、それぞれボス２１ｂと２２ｂ、及びボス３１ｂとは反対側となる位置に設けた貫通孔２１ｄと２２ｄ、及び３１ｄに軸挿して、これら第１〜第３レンズ群のレンズをガイド軸２３、２４で支持して光軸方向に進退できるようにしてある。そして、これら第１、第２レンズ群２１、２２を前後進させるため、図１３、図１４に示したズーム用カム２５をこれら第１、第２レンズ群２１、２２の横に配置し、ズームレンズの駆動系によって電子カメラ１００自体の薄さが損なわれるのを防止している。
【００５０】
このように、電子カメラに於ける画像の確認、記録をおこなうために必須となる液晶、メモリ、電池、制御基板それぞれの厚みを加えた厚みにレンズ外径を規制し、さらにそのレンズの枠を筐体支持面とすると共にそのレンズ枠にガイド軸を貫通させて前後に動かせるようにし、ズームレンズのレンズ移動用カムをレンズ系横に配置することで薄型化を計ったから、これら構成部品は前記した液晶とメモリと電池と制御基板とによる厚み以上にはならず、電子カメラを非常に薄型に構成できる。
【００５１】
また、本発明の電子カメラ１００におけるＣＣＤなどで構成した撮像素子ユニット４０８は、図１１に示したように、ＣＣＤなどの撮像素子３２０の被写体側にＣＣＤを保護するためのＣＣＤラバー３５１、ローパス・フィルタ３５２、ＣＣＤマスク３５３、ローパス・フィルタホルダー３５４を配し、これらを剛体で構成したＣＣＤプレート３５５にネジ３５６でネジ止めし、撮像素子３２０の足３５７にプリント基板３５８をハンダ付けしたものを、図１２に示した後固定枠２８にバネで固定するようにしている。すなわち図１２において、３６０は図１１のように構成した撮像素子ユニット４０８の上下方向を規制する板バネ、３６１は同じく左右方向を規制する板バネで、後固定枠２８の基準面３６２、３６３、３６４で、図１１のように構成した撮像素子ユニット４０８を固定するものである。
【００５２】
こういった電子カメラにおいては、撮像素子３２０は筐体側にネジ止めするのが一般的であるが、本発明の電子カメラ１００のように薄型に構成した場合、それぞれの部品に肉がなくまた、筐体に撓みが生じるとそれが撮像素子３２０に伝わり、画像に影響が出る可能性がある。そのため、このようにローパス・フィルタ３５２などと一体化し、板バネ３６１、３６２で固定することで、組み立ても簡単になると共に、筐体に撓み力が加わっても、画像に何ら影響を与えないようにすることができる。
【００５３】
上記のように構成した撮影レンズのズーミング駆動機構は、ズーム用モータ２６によりズーム用カム２５を回転駆動することで、第１、第２レンズ群２１、２２がガイド軸２３、２４に沿って移動してズーミングが行なわれ、また、フォーカス用モータ３３によりリードスクリュー３４（図１６）を回転駆動することで、ナットネジ３２がネジ送りされ、第３レンズ群３１が移動してフォーカシングが行なわれる。なお、第３レンズ群３１は、ズーミング時にも移動するようになっている。
【００５４】
そして、第１レンズ群２１と第２レンズ群２２のボス２１ｂ、ボス２２ｂには、ズーム用カム２５に設けられたカム溝４０へ挿入する部材としてのカムピン２１ｃと、同じくカム溝４１へ挿入する部材としてのカムピン２２ｃが各々突出形成してある。一方ズーム用カム２５は、図１４に示したように、第１カム溝４０と第２カム溝４１を有する円筒形カムとなっており、図１３に示したように、円筒状のズームカム（１）５６、ズームカム（２）５７と、このズームカム（１）５６、ズームカム（２）５７の両側に摺動自在に嵌合させる円筒状のズームカム（３）５８、ズームカム（４）５９と、これらズームカム（３）５８、ズームカム（４）５９が近づく方向に押圧する図１５に示したプッシュピン４０６、コイルバネ４０７とで構成してある。
【００５５】
ズームカム（２）５７は、その細径状としてＤカットした軸部５７ｄを、ズームカム（１）５６に設けたこのＤカット部を受ける孔５６ｄに挿入できるようにしてあり、さらに、ズームカム（１）５６、ズームカム（２）５７は、その胴部５６ａ、５７ａのお互いに逆側に、細径状とした摺動部５６ｂ、５７ｂが設けられている。また、胴部５６ａ、５７ａと、摺動部５６ｂ、５７ｂとの間の段部を第１カム溝４０、第２カム溝４１を形成するための一側カム面４０ａ、一側カム面４１ａとして形成してある。また、ズームカム（１）５６、ズームカム（２）５７には、両側端から筒軸方向に沿って形成した長形孔５６ｃ、５７ｃが設けられ、これらの長形孔５６ｃ、５７ｃに、ズームカム（３）５８、ズームカム（４）５９に設けられた図示していない突片部を摺動自在に嵌合させるようにして、ズームカム（３）５８、ズームカム（４）５９を、ズームカム（１）５６、ズームカム（２）５７と一体的に回転させるようにしてある。なお、ズームカム（１）５６の端部に形成した段差部５６ｅは、ズームカム（３）５８の移動を規制するためのものである。また、ズームカム（３）５８、ズームカム（４）５９のそれぞれ一端円周部には、第１カム溝４０を形成するための他側カム面４０ｂ、及び第２カム溝４１を形成するための他側カム面４１ｂが形成してある。
【００５６】
上記のように形成したズームカム（２）５７は、Ｄカットした軸部５７ｄを、ズームカム（１）５６に設けたＤカット部を受ける孔５６ｄに挿入し、さらにズームカム（１）５６の摺動部５６ｂにズームカム（３）５８を、ズームカム（２）５７の摺動部５７ｂにズームカム（４）５９を嵌合させ、前固定枠２７の軸受部２７ａと後固定枠２８に設けた支持固定枠２９の軸受部２９ａで図１４、図１５に示したように固定する。そして、前固定枠２７の軸受部２７ａに挿入したコイルバネ４０７によって押圧されるプッシュピン４０６により、ズームカム（３）５８とズームカム（４）５９を近づける方向に押圧し、ズームカム（３）５８が摺動部５６ｂを、ズームカム（４）５９が摺動部５７ｂを摺動し、一側カム面４０ａと他側カム面４０ｂとによって第１カム溝４０が、一側カム面４１ａと他側カム面４１ｂとによって第２カム溝４１が形成される。そのため形成されたカム溝４０、４１は、ズーミングに必要な第１、第２レンズ群２１、２２の移動に合せた螺旋状カム溝となる。
【００５７】
そしてズーム用カム２５のカム溝４０、４１には、前記図１０で説明した第１レンズ群２１のボス２１ｂに突出形成されたカムピン２１ｃをカム溝４０へ、第２レンズ群２２のボス２２ｂに突出形成されたカムピン２２ｃをカム溝４１へ図１５に示したように挿入（突入）させ、その挿入によってズームカム（３）５８とズームカム（４）５９をズームカム（１）５６、ズームカム（２）５７から離れる方向に摺動されるから、カムピン２１ｃがズームカム（４）５９のカム面４０ｂに押圧され、カムピン２２ｃがズームカム（３）５８のカム面４１ｂによって押圧されるため、これらカムピン２１ｃ、２２ｃがカム溝４０、４１の全域において一定の圧接力でカム面に当接するようになる。また、カムピン２１ｃ、２２ｃのカム面に対する圧接力は、コイルばね４０７の押圧力によって決めることができるから、コイルばね４０７として適度の押圧力を有するものを選べばカムピン２１ｃ、２２ｃを最適な圧接力とすることができる。
【００５８】
したがってズーム用カム２５は、一定のモータ駆動力で回転させるようにすることができ、また、第１、第２レンズ群２１、２２の移動駆動もスムーズに行なうことができる。この結果、ズーム用カム２５が変動の少ない軽負荷のカム装置となるので、ズーム用モータ２６としては電力消費の少ない小型モータを使用することができる。
【００５９】
また、このようにカムピン２１ｃ、２２ｃが第１、第２カム溝４０、４１の全域で一定の圧接力となるズーム用カム２５となる他に、このズーム用カム２５と同心線上にズーム用モータ２６を配設したので、撮像部１０１の横方向の幅（図３におけるＬ２）を短縮することができ、さらに、変倍用の第１、第２レンズ群２１、２２とフォーカス用の第３レンズ群３１とを同一のガイド軸２３、２４によって支持させて移動させる構成としたので、レンズ群の偏心、倒れが生じにくいものとなる。
【００６０】
以上が本発明になる電子カメラ１００におけるレンズユニット４００のズーム機構であるが、このズーム用カム２５を一定のモータ駆動力で回転させるようにする機構としては種々の方法が考えられる。まずその第２実施形態を示したのが図１７であり、図１８にこの第２実施形態のズーム用カム２５を用いた駆動機構の断面図を示した。なお、以下の説明では、以上説明してきた構成要素と同様な構成要素には同一番号を付してある。
【００６１】
この図１７に示した第２実施形態に係わるズーム用カム２５は、第１カム溝４０と第２カム溝４１を有する円筒形カムと円筒状のカム基体２５１と、このカム基体２５１の両側に摺動自在に嵌合させる円筒状のカム枠２５２、２５３と、これらカム枠２５２、２５３を近づく方向に押圧する引張り勢力のコイルばね２５４とより構成してある。
【００６２】
カム基体２５１は、その胴部２５１ａ両側を細径状とした摺動部２５１ｂ、２５１ｃを設け、胴部２５１ａと摺動部２５１ｂとの間の段部に第１カム溝４０を形成するための一側カム面４０ａとして形成し、胴部２５１ａと摺動部２５１ｃとの間の段部に第２カム溝４１を形成するための一側カム面４１ａとして形成してある。また、カム基体２５１には、両側端から筒軸方向に沿って形成した長形孔２５１ｄ、２５１ｅを設け、これらの長形孔２５１ｄ、２５１ｅに、カム枠２５２、２５３の突片部２５２ａ、２５３ａを摺動自在に嵌合させるようにして、カム枠２５２、２５３をカム基体２５１と一体的に回転させるようにしてある。なお、カム基体２５１の胴部２５１ａに形成した孔部２５１ｆはコイルばね２５４を取付けるためのものであり、また、摺動部２５１ｂ、２５１ｃの端部に形成した段差部２５１ｇ、２５１ｈは、カム枠２５２、２５３の移動を規制するものである。
【００６３】
他方、カム枠２５２は、一端円周部を第１カム溝４０に形成するための他側カム面４０ｂとして形成してあり、また、その他端には内向きのフランジ２５２ｂが形成してある。さらに、このカム枠２５２には、上記した突片部２５２ａより筒内に突出させたばね掛け部２５２ｃが設けてある。
【００６４】
カム枠２５３は、一端円周部を第２カム溝４１に形成するための他側カム面４１ｂとして形成してあり、また、その他端には内向きのフランジ２５３ｂが形成してある。さらに、このカム枠２５３には、上記した突片部２５３ａより筒内に突出させたばね掛け部２５３ｃが設けてある。
【００６５】
上記のように形成したカム基体２５１、カム枠２５２、２５３は、カム枠２５２をカム基体２５１の摺動部２５１ｂに嵌合し、カム枠２５３を摺動部２５１ｃに嵌合させた後、コイルばね２５４の一端部をカム枠２５２のばね掛け部２５２ｃに、その他端部をカム枠２５３のばね掛け部２５３ｃに各々係止する。するとコイルばね２５４は、カム枠２５２、２５３を近づける方向に押圧するため、カム枠２５２が摺動部２５１ｂを摺動し、そのフランジ部２５２ｂがカム基体２５１の段差部２５１ｇに突き当るまで進み、この状態で一側カム面４０ａと他側カム面４０ｂとによって第１カム溝が形成される。同様に、カム枠２５３が摺動部２５１ｃを摺動し、そのフランジ部２５３ｂが段差部２５１ｈに突き当り、この状態で一側カム面４１ａと他側カム面４１ｂとによって第２カム溝が形成される。このように形成されたカム溝４０、４１は、ズーミングに必要な第１、第２レンズ群２１、２２の移動に合せた螺旋状カム溝となる。
【００６６】
そしてズーム用カム２５のカム溝４０、４１には、前記図１５で説明したように、第１レンズ群２１のボス２１ｂに突出形成されたカムピン２１ｃがカム溝４０へ、第２レンズ群２２のボス２２ｂに突出形成されたカムピン２２ｃがカム溝４１へ挿入（突入）され、その挿入によってカム枠２５２のフランジ部２５２ｂが段形部２５１ｇより僅か後退し、同様にカム枠２５３のフランジ部２５３ｂも段形部２５１ｈより僅か後退するようになる。したがって、カムピン２１ｃがカム枠２５２のカム面４０ｂに押圧され、カムピン２２ｃがカム枠２５３のカム面４１ｂによって押圧されるため、これらカムピン２１ｃ、２２ｃがカム溝４０、４１の全域において一定の圧接力でカム面に当接するようになる。また、カムピン２１ｃ、２２ｃのカム面に対する圧接力は、コイルばね２５４の引張り勢力によって決めることができるから、コイルばね２５４として適度の引張り勢力を有するものを選べばカムピン２１ｃ、２２ｃを最適な圧接力とすることができる。
【００６７】
したがって、ズーム用カム２５は一定のモータ駆動力で回転させることができ、また、第１、第２レンズ群２１、２２の移動駆動もスムーズに行なうことができる。この結果、ズーム用カム２５が変動の少ない軽負荷のカム装置となるので、ズーム用モータ２６としては電力消費の少ない小型モータを使用することができる。
【００６８】
次に、図１８に従ってこの第２実施形態のズーム用カム２５を用いた駆動機構を説明すると、ズーム用カム２５の後端側には内歯車４２が設けてあり、この内歯車４２の突出部４２ａがカム基体２５１の内孔に突入し、また、その突出部４２ａの周囲部に設けたキー４２ｂが、カム基体２５１の内孔部に形成したキー溝２５１ｉに嵌合している。そのため、ズーム用カム２５が内歯車４２と一体的に回転する。
【００６９】
また内歯車４２は、支軸固定枠２９に設けた軸受部２９ａに回転自在に支持され、さらに、この内歯車４２には連動小歯車４３が噛合している。この連動小歯車４３は減速装置４４を介してズーム用モータ２６によって回転駆動するもので、内歯車４２を回転し、ズーム用カム２５を回転させる。
【００７０】
そのためこの第２実施形態のズーミ用カム２５を用いた駆動機構は、カムピン２１ｃ、２２ｃが第１、第２カム溝４０、４１の全域で一定の圧接力となるズーム用カム２５となる他に、このズーム用カム２５と同心線上にズーム用モータ２６を配設したので、撮像部１０１の横方向の幅（図３におけるＬ２）を短縮することができ、さらに、変倍用の第１、第２レンズ群２１、２２とフォーカス用の第３レンズ群３１とを同一のガイド軸２３、２４によって支持させて移動させる構成としたので、レンズ群の偏心、倒れが生じにくいものとなる。
【００７１】
図１９は、第３実施形態のズーム用カム２５を用いた駆動機構の断面図である。この第３実施形態のズーム用カム２５を用いた駆動機構は、前記図１８に示した第２実施形態と同様、ズーム用カム２５の後端側には内歯車４２が設けてあり、この内歯車４２の突出部４２ａがカム基体２５１の内孔に突入し、また、その突出部４２ａの周囲部に設けたキーがカム基体２５１の内孔部に形成したキー溝に嵌合している。そのため、ズーム用カム２５は内歯車４２と一体的に回転する。また、内歯車４２は支軸固定枠２９に設けた軸受部２９ａに回転自在に支持され、さらに、この内歯車４２には連動小歯車４３が噛合している。この連動小歯車４３は、減速装置４４を介してズーム用モータ２６によって回転駆動するもので、内歯車４２を回転し、ズーム用カム２５を回転させる。
【００７２】
一方、この第３実施形態のズーム用カム２５を用いた駆動機構では、カム枠２５２、２５３に形成した他側カム面４０ｂ、４１ｂを所定の角度で傾斜させてある。これを詳細に示したのが、図２０による第１、第２カム溝４０、４１とカムピン２１ｃ、２２ｃとの構成部分を拡大して示す断面図であり、この図より分かる通り、第１、第２カム枠２５２、２５３の他側カム面４０ｂ、４１ｂは、枠外周面に向かって昇り勾配とした傾斜のカム面として形成してある。
【００７３】
他側カム面４０ｂ、４１ｂをこのように傾斜面とすることにより、カムピン２１ｃ、２１ｃが図示Ｆ１方向の押動力を受ける。すなわち、第１、第２カム枠２５２、２５３には、コイルばね２５４によって図示Ｆ２方向のばね勢力が作用することから、他側カム面４０ｂ、４１ｂの傾斜面により押動されるカムピン２１ｃ、２２ｃが、一側カム面４０ａ、４１ａに圧接する力の他に、カム溝の回転軸線に対して直交する方向となる押動力Ｆ１を受ける。
【００７４】
カムピン２１ｃ、２２ｃに作用する上記の押動力Ｆ１は、ボス２１ｂ、２２ｂの支軸孔２１ｄ、２２ｄ（図７参照）の孔面部をガイド軸２３に当接させるように働き、これによって支軸孔２１ｄ、２２ｄとガイド軸２３との機械的遊びが吸収されるようになる。
【００７５】
そのためズーム用カム２５は、カムピン２１ｃ、２２ｃが第１、第２カム溝４０、４１の全域で一定の圧接力で当接し、これらカムピン２１ｃ、２２ｃをズーム用カム２５の回転にしたがってカム溝の回転軸線方向（図６、図７において左右方向）に移動駆動し、第１、第２レンズ群２１、２２をガイド軸２３に沿って移動させる。
【００７６】
また、上記したようにボス２１ｂ、２２ｂに、機械的遊びがなくガイド軸２３を摺動することから、第１、第２レンズ群２１、２２に傾きや偏心が生じない。この結果、ズーミング精度を高めることができるズーム用カム２５（カム装置）を備えたズーミング駆動機構となる。
【００７７】
図２１の（Ａ）、（Ｂ）、（Ｃ）は、第１、第２カム溝４０、４１のカム面傾斜位置を変えた他の実施形態を示す図２０同様の断面図である。図２１（Ａ）は、第１、第２カム溝４０、４１の一側カム面４０ａ、４１ａを傾斜形成した実施形態、図２１（Ｂ）は、第１、第２カム溝４０、４１の一側カム面４０ａ、４１ａと他側カム面４０ｂ、４１ｂとの両カム面を傾斜形成した実施形態、図２１（Ｃ）は、第１、第２カム溝４０、４１の他側カム面４０ｂ、４１ｂとカムピン２１ｃ、２２ｃとを傾斜形成した実施形態である。
【００７８】
このように構成してもカムピン２１ｃ、２２ｃには押動力Ｆ１が作用するから、図２０に示す実施形態と同様にボス２１ｂ、２２ｂとガイド軸２３との機械的遊びを吸収することができ、第１、第２レンズ群２１、２２の傾きや偏心を防止することができる。なお、図２０、図２１（Ａ）、（Ｂ）に示す実施形態においても、カム面に当接するカムピン２１ｃ、２２ｃの当接部を傾斜形成してもよい。
【００７９】
図２２、図２３は、この第３実施形態のズーム用カム２５を用いた駆動機構の他の実施例で、まず図２２は、ズーム用カム２５の軸受けガタを吸収するため、前固定枠２７の軸受部２７ａにコイルばね４５を設けたものである。このコイルばね４５は、ズーム用カム２５を一方向に押圧してズーム用カム２５の回転軸方向の動きを防止し、第１、第２レンズ群２１、２２の移動位置精度を高めるものである。
【００８０】
次の図２３は、前固定枠２７の軸受部２７ａに一つのコイルばね４６を設け、このコイルばね４６によって第１、第２カム枠２５２、２５３を押圧すると共に、ズーム用カム２５の軸受けガタを吸収する実施形態を示す。この実施形態は、第１のカム枠２５２を押圧することで、カムピン２１ｃを介してカム基体２５１を押圧し、また、カムピン２２ｃを介して第２のカム枠２５３を一方向に押圧する構成としてある。このように構成することにより、第１、第２のカム枠２５２、２５３に係架したコイルばね２５４が不要となる。
【００８１】
次に、本発明になる電子カメラ１００の撮像部１０１と操作部１０２を結合している、図９に４０５で示したヒンジ機構について説明する。図２４は本発明になる電子カメラ１００の撮像部１０１と操作部１０２を結合するヒンジ機構のみの構成を示した図、図２５はヒンジ機構を撮像部１０１に組み込み、操作部１０２における上カバー３０７と内部構成部品を取り去って結合部を示した斜視図、図２６は図２４に示したヒンジ機構を分解した斜視図である。
【００８２】
図中５００は撮像部１０１側を操作部１０２側に対して回転させるヒンジシャフト、５０１は撮像部１０１側に固定され、レンズシャフト５００を固定するヒンジレンズプレート、５０２は操作部１０２側に固定され、レンズシャフト５００を回転可能とする軸受けとしてのヒンジボディプレート、５０３はシャフト５００をヒンジレンズプレート５０１側で固定するためのＣＥリング、５０４はシャフト５００のフランジ５０５とヒンジボディプレート５０２との間に挟む円形バネで、この円形バネは２箇所の頂部５０６、５０７にクリック部を有し、シャフト５００のフランジ５０５に設けられた図示していない凹部と系合して、撮像部１０１が操作部１０２に対して所定角度回転したときに、係止できるようにしてある。５０８はその一部に反射パターン５０９を有し、シャフト５００のフランジ部５０５に貼り付けてフォトリフレクター５１０によって操作部１０２に対する撮像部１０１の回転角度を検出するためのヒンジマーカーである。
【００８３】
このヒンジ機構４０５は、図２５に示したように、ヒンジレンズプレート５０１のネジ孔５１１にビスを通し、撮像部１０１の下カバー４０１、上カバー４０２に設けられた固定部５１３に固定する。またヒンジボディプレート５０２は、同様にして操作部１０２の上カバー３０７、下カバー３０８の図示していない固定部に固定する。そして、シャフト５００のフランジ部５０５に反射パターン５０８を貼り付け、円形バネ５０４、ヒンジボディプレート５０２、ヒンジレンズプレート５０１を通してヒンジレンズプレート５０１のレンズ系側で、ＣＥリングによってヒンジレンズプレート５０１に固定する。そしてフォトリフレクタ５１０は、サブ基板３０３に固定する。
【００８４】
このようにヒンジ機構を構成することにより、撮像部１０１と操作部１０２とは、円形バネ５０４によって適度なフリクションが与えられて回転でき、しかもこの円形バネ５０４には、前記したように所定角度まで回転したときに図示しない凹部によって係止されるクリック部が設けられているから、例えば９０度回転させた位置、−９０度回転させた位置など、撮影に最適な位置で係止することができる。そして、例えば自分撮りのために撮像部１０１を−９０度回転させた場合、表示装置１０５に表示される画像の上下が逆になるが、フォトリフレクタ５１０はこの回転を検出し、図示しない電子カメラ１００の制御部に逆方向に回転されていることを知らせ、画像の上下を逆にして表示できるようにする。そのため、どのような回転を撮像部１０１に与えても、違和感無く撮影をおこなうことができる。
【００８５】
以上種々述べてきたように、電子カメラに於ける画像の確認、記録をおこなうために必須となる表示装置、メモリ、電池、制御基板それぞれの厚みを加えた厚みにレンズ外径を規制し、さらにそのレンズの枠を筐体支持面とすると共にそのレンズ枠にガイド軸を貫通させて前後に動かせるようにし、ズームレンズのレンズ移動用カムをレンズ系横に配置することで薄型化を計ったから、これら構成部品は前記した液晶とメモリと電池と制御基板とによる厚み以上にはならず、Ｙシャツの胸ポケットやＧパンの臀部ポケットなどに収容できる薄さを有した電子カメラを提供することができる。
【００８６】
そして前記撮像部における撮影窓の操作部側に前記発光装置を配すると共に発光装置の収容部下部を前記撮影窓側より細く構成し、前記操作部は、操作部における表示装置を撮像部側に配置すると共に表示装置の撮像部とは逆側に操作釦類を配したことにより、操作部を右手に保持したとき、親指で操作できる範囲に操作釦類を配置できるから、使い勝手の良い電子カメラを提供することができる。
【００８７】
また前記操作部における操作釦類を、筐体平面内に納めたことにより、前記したようにＹシャツの胸ポケットやＧパンの臀部ポケットなどに収容しても、スムーズに出し入れができる電子カメラを提供することができる。
【００８８】
そして前記レンズ移動用カムは、螺旋状のカム溝を有してカム溝に挿入されたカムピンをカム駆動し、そのカム駆動力によって前記レンズを移動させるよう構成され、前記カム溝の一側カム面を形成した一方のカム体と、このカム体に対して非回転として摺動自在に備え、前記一側カム面に対向させる他側カム面を形成した他方のカム体と、一方のカム体又は／及び他方のカム体を押圧してカムピンをカム面に当接させる弾性部材とから構成したことにより、一方のカム体のカム面と他方のカム体のカム面とでカム溝が形成され、また、このカム溝に挿入したカムピンがこれらカム体を押圧するばね部材によってカム面に当接するので、カムピンがカム溝の全域で一定の圧接力でカム面に当接するカム装置を有した電子カメラを構成できる。
【００８９】
また、前記レンズ移動用カムは、円柱体の両側部各々に細径状とした摺動部を設け、一方側の摺動部と円柱体胴部との間の段部を第１カム溝の一側カム面とし、他方側の摺動部と円柱胴部との間の段部を第２カム溝の一側カム面として形成したカム基体と、第１カム溝の一側カム面に対向させる他側カム面を形成し、一方の摺動部に非回転として摺動自在に備えた第１のカム枠と、第２カム溝の一側カム面に対向させる他側カム面を形成し、他方の摺動部に非回転として摺動自在に備えた第２のカム枠と、これら第１、第２のカム枠を押圧し、第１、第２のカム枠とカム基体とで形成した２条のカム溝に挿入させた各カムピンをカム面に当接させる弾性部材とから構成することにより、一方のカム体の一側カム面と他方のカム体の他側カム面とによりカム溝が形成され、また、このカム溝に挿入したカム溝挿入部材が一方のカム体又は／及び他方のカム体を押圧するばね部材のばね勢力作用によってカム面に圧接する。
【００９０】
また、前記レンズ移動用カムは、第１カム溝の一側カム面を有して細径状とした摺動部を配した第１の円柱体と、該第１の円柱体に対して非回転とし、第２カム溝の一側カム面を有して細径状とした摺動部を配した第２の円柱体と、第１カム溝の一側カム面に対向させる他側カム面を形成し、第１の円柱体の摺動部に非回転として摺動自在に備えた第１のカム枠と、第２カム溝の一側カム面に対向させる他側カム面を形成し、第２の円柱体の摺動部に非回転として摺動自在に備えた第２のカム枠と、これら第１、第２のカム枠を押圧し、第１、第２のカム枠とカム基体とで形成した２条のカム溝に挿入させた各カムピンをカム面に当接させる弾性部材とから構成することにより、一方のカム体の一側カム面と他方のカム体の他側カム面とによりカム溝が形成され、また、このカム溝に挿入したカム溝挿入部材が一方のカム体又は／及び他方のカム体を押圧するばね部材のばね勢力作用によってカム面に圧接する。
【００９１】
したがって、カム面に対するカム溝挿入部材の圧接力がカム体を押圧するばね部材のばね勢力によって決まるから、カム溝の全領域で一定の圧接力となり、その結果、カム軸がずれないので、被移動物の正規移動位置にバラツキが生ぜず、また、カム溝挿入部材が当接するカム面に傾斜部を設けてあるので、カム溝挿入部材がカム溝の回転軸線方向のカム駆動力を受ける他に、この回転軸線方向に対して直交する方向の押動力を受け、具体的には、カム溝挿入部材がカム溝の回転によって上記した押動力を受けることから、被移動物がガイド軸に対接し、被移動物とガイド軸との間の機械的遊びが吸収されるカム装置を有した電子カメラを提供することができる。
【００９２】
そして前記弾性部材が、一端部を第１のカム枠に、他端部を第２のカム枠に各々係止した引張りコイルバネとすることにより、一つのコイルばねによって第１、第２のカム枠を押圧することができる。
【００９３】
また前記一側カム面及び他側カム面の少なくとも一方のカム面に傾斜部を設けたことにより、カム溝挿入部材がカム溝の回転軸線方向のカム駆動力を受ける他に、この回転軸線方向に対して直交する方向の押動力を受け、具体的には、カム溝挿入部材がカム溝の回転によって上記した押動力を受けることから、被移動物がガイド軸に対接し、被移動物とガイド軸との間の機械的遊びが吸収される。
【００９４】
そして前記一側カム面及び他側カム面の少なくとも一方のカム面に設けた傾斜部は、カム溝挿入部材に対してカム溝の回転軸線方向のカム駆動力とその回転軸線方向に直交する方向の押動力とを与える傾斜面を有することが好ましい。
【００９５】
また前記弾性部材が、前記第１、第２のカム枠とカム基体または第１の円柱体と第２の円柱体とを一方向に押圧するばね部材とすることにより、一つのばね部材によって第１、第２のカム枠を押圧することができる。
【００９６】
そして前記弾性部材が、一端部を第１のカム枠に、他端部を第２のカム枠に各々係止させた引張りばね部材と、第１、第２のカム枠とカム基体とを一方向に押圧するばね部材を設けたことにより、カム基体と第１、第２のカム枠全体をばね部材によって押圧することにより、カムピンをカム面に圧接させ、また、カム装置の全体が一方向に押動されるので、カム装置の回転軸部の機械的なガタが吸収される。
【００９７】
【発明の効果】
以上記載の如く本発明によれば、電子カメラに於ける画像の確認、記録をおこなうために必須となる表示装置、メモリ、電池、制御基板それぞれの厚みを加えた厚みにレンズ外径を規制し、さらにそのレンズの枠を筐体支持面とすると共にそのレンズ枠にガイド軸を貫通させて前後に動かせるようにし、ズームレンズのレンズ移動用カムをレンズ系横に配置することで薄型化を計ったから、これら構成部品は前記した液晶とメモリと電池と制御基板とによる厚み以上にはならず、Ｙシャツの胸ポケットやＧパンの臀部ポケットなどに収容できる薄さを有した電子カメラを提供することができる。
【図面の簡単な説明】
【図１】本発明になる電子カメラの一実施形態の全体図である。
【図２】本発明になる電子カメラのレンズを被写体方向に向けた撮影状態を示した図である。
【図３】本発明になる電子カメラのレンズをカメラ操作者（自分）方向に向けた撮影状態を示した図である。
【図４】本発明になる電子カメラのレンズを被写体方向に向けた撮影するときのカメラのホールド状態を示した図である。
【図５】本発明になる電子カメラ１００の操作部１０２のカバーを取り除いて内部のデバイスの収容状態と、撮像部１０１における発光装置とコンデンサ、ＣＣＤなどの撮像デバイスなどを示した斜視図である。
【図６】本発明になる電子カメラ１００の一実施形態における操作部１０２のカバーを取り除き、（Ａ）はさらに表示装置１０５を取り除いた斜視図、（Ｂ）は裏面から見た斜視図である。
【図７】本発明になる電子カメラ１００の一実施形態における操作部１０２のカバーを取り除き、（Ａ）は図５における手前側から見た図、（Ｂ）は同じく図５における左サイドから見た図、（Ｃ）は図７（Ｂ）と同じく図５における左サイドから見た断面図である。
【図８】本発明になる電子カメラの一実施形態における撮像部の上側カバーを取り除いた斜視図である。
【図９】本発明になる電子カメラの一実施形態における撮像部の分解図である。
【図１０】本発明になる電子カメラの一実施形態における撮像部のレンズ系を分解して示した図である。
【図１１】本発明になる電子カメラの一実施形態における撮像部の撮像素子の構成を示した図である。
【図１２】本発明になる電子カメラの一実施形態における撮像部の撮像素子を取り付ける後固定枠の構成を示した図である。
【図１３】ズーム機構におけるズーム用カムの斜視図である。
【図１４】本発明になる電子カメラの一実施形態における撮像部のズーム用カム駆動機構の説明図である。
【図１５】本発明になる電子カメラの一実施形態における撮像部のズーム用カム駆動機構の断面図である。
【図１６】フォーカス機構の説明図である。
【図１７】本発明になる電子カメラの一実施形態における撮像部のズーム用カムの第２実施形態を示した図である。
【図１８】本発明になる電子カメラの一実施形態における撮像部のズーム用カムの第２実施形態を用いた駆動機構の断面図である。
【図１９】本発明になる電子カメラの一実施形態における撮像部の第３実施形態のズーム用カム２５を用いた駆動機構の断面図である。
【図２０】本発明になる電子カメラの一実施形態における撮像部の第３実施形態のズーム用カム２５を用いた駆動機構の部分拡大断面図である。
【図２１】本発明になる電子カメラの一実施形態における撮像部の第３実施形態のズーム用カム２５における第１、第２カム溝４０、４１のカム面傾斜位置を変えた他の実施形態を示す断面図である。
【図２２】本発明になる電子カメラの一実施形態における撮像部の第３実施形態のズーム用カム２５を用いた駆動機構の他の実施例である。
【図２３】本発明になる電子カメラの一実施形態における撮像部の第３実施形態のズーム用カム２５を用いた駆動機構の他の実施例である。
【図２４】本発明になる電子カメラ１００の撮像部１０１と操作部１０２を結合するヒンジ機構のみの構成を示した図である。
【図２５】ヒンジ機構を撮像部１０１に組み込み、操作部１０２における上カバー３０７と内部構成部品を取り去って結合部を示した斜視図である。
【図２６】図２４に示したヒンジ機構を分解した斜視図である。
【符号の説明】
１００  電子カメラ
１０１  撮像部
１０２  操作部
１０３  撮影レンズ窓
１０４  発光装置窓
１０５  表示装置
１０６  シャッター釦
１０７  電源釦
１０８  選択決定キー
１０９  ズームキー
１１０  メニュー釦
１１１  ディスプレイ釦
１１２  シーン釦
１１３  モードセレクト釦
１１４  スピーカ
【図１】
2004343672.tif 000003
【図２】
2004343672.tif 000004
【図３】
2004343672.tif 000005
【図４】
2004343672.tif 000006
【図５】
2004343672.tif 000007
【図６】
2004343672.tif 000008
【図７】
2004343672.tif 000009
【図８】
2004343672.tif 000010
【図９】
2004343672.tif 000011
【図１０】
2004343672.tif 000012
【図１１】
2004343672.tif 000013
【図１２】
2004343672.tif 000014
【図１３】
2004343672.tif 000015
【図１４】
2004343672.tif 000016
【図１５】
2004343672.tif 000017
【図１６】
2004343672.tif 000018
【図１７】
2004343672.tif 000019
【図１８】
2004343672.tif 000020
【図１９】
2004343672.tif 000021
【図２０】
2004343672.tif 000022
【図２１】
2004343672.tif 000023
【図２２】
2004343672.tif 000024
【図２３】
2004343672.tif 000025
【図２４】
2004343672.tif 000026
【図２５】
2004343672.tif 000027
【図２６】
2004343672.tif 000028